(57)【要約】  本発明は、携帯式カラオケシステムを開示する。前記携帯式カラオケシステムは、携帯式カラオケシステムに挿入あるいは分離することができる、別個の無線付属マイクロホン受信モジュールと別個のＦＭ送信モジュールを持ち、そのため使用者が必要な機能モジュールのみを選択し、購入することができ、また携帯式カラオケシステムを簡単に持ち運び、保持することができる。携帯式カラオケシステムは、バッテリーケースからバッテリーが簡単に外れないようにするための、バッテリーケースの両側面に備えられたフック部と、使用者が簡単にバッテリーケースからバッテリーを取り外すことができるようにするための、バッテリーケースの両側壁の上端に形成された半円形凹部を持つ。さらに、携帯式カラオケシステムは、マイクロホン本体の端部の段部に形成された第一および第二ネジを持ち、第一ネジは一般的なマイクロホンネットと結合し、第二ネジはボール型マイクロホンネットと結合する。
2007502452.tif 000002
【特許請求の範囲】
【請求項１】
携帯式カラオケシステムの外形を形成するケースと、
前記ケース内に取り付けられ、カラオケシステムを作動させるための制御回路を含むプリント基板と、
携帯式カラオケシステムから出力された音声信号を所定のＦＭ周波数に変調し、変調された信号を外部のラジオに無線送信するための送信回路を含むＦＭ送信基板と、
前記ＦＭ送信基板の出力信号線に電気的に接続された第一コネクタを持ち、別個の単一パックに構築されるＦＭ送信モジュールと、
前記ケースの所定位置に配設され、前記ＦＭ送信モジュールの出力信号を前記プリント基板の制御回路に送信するために、前記ＦＭ送信モジュールの第一コネクタに接続される第二コネクタと、
所定の長さを持ち、前記ケースの所定位置に配設され、前記第二コネクタの送信アンテナ末端に電気的に接続されるアンテナ線とを含むことを特徴とする携帯式カラオケシステム。
【請求項２】
カラオケシステムの外形を形成するケースと、
前記ケース内に取り付けられ、カラオケシステムを作動させるための制御回路を含むプリント基板と、
別個の無線付属マイクロホンから送信された無線信号を受信して復調し、復調された信号を音声信号と歌情報信号に分割するための無線付属マイクロホン受信回路を含む無線受信基板と、
前記無線受信基板の出力信号線に電気的に接続された第三コネクタを持ち、別個の単一パックに構築される無線付属マイクロホン受信モジュールと、
前記ケースの所定位置に配設され、前記無線付属マイクロホン受信モジュールの出力信号を前記プリント基板の制御回路に送信するために、前記無線付属マイクロホン受信モジュールの前記第三コネクタに接続される第四の第二コネクタと、
所定の長さを持ち、前記ケースの所定位置に配設され、前記第四のコネクタの受信アンテナ末端に電気的に接続されるアンテナ線とを含むことを特徴とする携帯式カラオケシステム。
【請求項３】
請求項２に記載の携帯式カラオケシステムにおいて、さらに、携帯式カラオケシステムから出力された音声信号を所定のＦＭ周波数に変調し、変調された信号を外部のラジオに無線送信するための送信回路を含むＦＭ送信基板と、前記ＦＭ送信基板の出力信号線に電気的に接続される第一コネクタを持ち、別個の単一パックに構築されるＦＭ送信モジュールと、前記ケースの所定位置に配設され、前記ＦＭ送信モジュールの出力信号を前記プリント基板の制御回路に送信するために、前記ＦＭ送信モジュールの第一コネクタに接続される第二コネクタとを含み、ここで、前記第二コネクタの送信アンテナ末端が前記アンテナ線に電気的に接続されることを特徴とする携帯式カラオケシステム。
【請求項４】
請求項３に記載の携帯式カラオケシステムにおいて、前記ケースが前記無線付属マイクロホン受信モジュールおよび前記ＦＭ送信モジュールを収容するための収容部を含み、前記収容部が前記無線付属マイクロホン受信モジュールをその適切な位置に誘導するための一組の第一誘導溝と、前記ＦＭ送信モジュールをその適切な位置に誘導するための一組の第二誘導溝を持ち、前記第一および第二誘導溝は前記収容部の両側壁に形成され、前記無線付属マイクロホン受信ユニットを収納するための第一筐体が、それぞれ第一筐体の両側面に垂直方向に形成され前記第一誘導溝にスライド可能に挿入される一組の第一誘導突起を持ち、前記ＦＭ送信モジュールを収納するための第二筐体が、それぞれ第二筐体の両側面に垂直方向に形成され前記第二誘導溝にスライド可能に挿入される一組の第二誘導突起を持つことを特徴とする携帯式カラオケシステム。
【請求項５】
請求項１ないし４のいずれか一項に記載の携帯式カラオケシステムにおいて、別個の信号接続装置のメインジャックが安定的に支持される溝を持つ突出支持部が、前記ケースの底部末端から伸び、前記アンテナ線が前記突出支持部中でＵ字形状に形成されることを特徴とする携帯式カラオケシステム。
【請求項６】
ケース、および最低一つのバッテリーを収納するための前記ケース内に位置するバッテリーケースを持つ携帯式カラオケシステムであって、前記バッテリーケースが、バッテリーがバッテリーケースから簡単に外れないようにするための、互いに向かい合うようにそれぞれ前記バッテリーケースの両側壁の中央に固定された、弾性を持つ一組のフック部を持つことを特徴とする携帯式カラオケシステム。
【請求項７】
請求項６に記載の携帯式カラオケシステムにおいて、前記バッテリーケースが、使用者がバッテリーケースからバッテリーを簡単に取り外すことができるように、それぞれ前記バッテリーケースの両側壁の上端に形成された凹部を持つことを特徴とする携帯式カラオケシステム。
【請求項８】
マイクロホン本体を持つ携帯式カラオケシステムであって、マイクロホンカートリッジと結合する前記マイクロホン本体の端部が階段状形状を持ち、第一ネジが太い段部に形成され、第二ネジが細い段部に形成されることを特徴とする携帯式カラオケシステム。
【請求項９】
請求項８に記載の携帯式カラオケシステムにおいて、前記第一ネジが結合リングおよびマイクロホンネットと結合し、前記第二ネジが固定リングおよびボール型マイクロホンネットと結合することを特徴とする携帯式カラオケシステム。
【発明の詳細な説明】
【技術分野】
【０００１】
本発明は携帯式カラオケシステムに関し、特に、携帯式カラオケシステムに挿入することができるか、あるいは分離することができる、別個の無線付属マイクロホン受信モジュールおよび別個のＦＭ送信モジュールと、バッテリーケースに取り付けられたバッテリーが外部からの衝撃によっては簡単に外れず、使用者はバッテリーケースからバッテリーを簡単に取り外すことができるバッテリーケース構造を備え、使用者が一般的なマイクロホンネットとボール型マイクロホンネットを選択的にカラオケシステムに組み合わせることができ、使用者が携帯式カラオケシステムを簡単に持ち運び、保持することができる携帯式カラオケシステムに関する。
【背景技術】
【０００２】
従来の携帯式カラオケシステムは、スピーカを通して出力するために使用者の声を電気信号に変換するためのマイクロホン、使用者が歌を選択するためのキーユニット（ボタン部）、携帯式カラオケシステムの動作状態を表示するための表示部、および、歌と背景画像に対応する映像信号に関する伴奏データを保存し、保存された信号を処理するための制御回路を含む。マイクロホンは、携帯式カラオケシステムのケースの頂部に配置され、キーユニットと表示部は、ケースの一面に取り付けられる。制御回路は、ケース内に取り付けられた基板上に構築される。
【０００３】
従来の携帯式カラオケシステムは、歌詞と背景画像を画像表示装置の画面に表示するために、また画像表示装置に含まれるスピーカを通して伴奏音声を出力するために、使用者がキーユニットを介してＴＶ等の画像表示装置に対して選択した歌の伴奏音声、歌詞および背景画像を無線送信する。伴奏音声は家庭用オーディオシステムあるいは車載用オーディオシステムを通しても出力することができ、使用者は手で携帯式カラオケシステムの本体を握って、伴奏音声に合わせて歌うことができる。
【０００４】
しかしながら、従来の携帯式カラオケシステムにおいては、全ての無線受信映像および音声シグナルの回路、制御回路および送信回路は、システムのケース内に取り付けられた基板上に構築される。これは基板のサイズを増大させ、そのため使用者は、歌を歌うために手で携帯式カラオケシステムを握ることが困難である。
【０００５】
さらに、大韓民国を含む多くの国が、ますます無線送信装置の周波数を制限している。そのため、携帯式カラオケシステムは、無線送信回路がシステム内に備えられた基板上に構築された場合には、周波数の制限を回避することができない。
【０００６】
図１は、モジュール方式の送信／受信装置を含む従来の携帯式カラオケシステムの断面図である。携帯式カラオケシステムは、ケース１の一端に配設されたマイクロホン３、使用者が歌を選択するためのキーユニット２、および表示部４を含む。携帯式カラオケシステムはさらに、ケース１の一面に位置する開口部１０、ケース１の末端から伸びる収容部１１、第一コネクタ１３、送信／受信モジュール１５、および蓋部１６を含む。収容部１１の一端は開口し、ケース１の内部に連結される。第一コネクタ１３はケース１の内部に取り付けられた基板１２上に配設され、収容部１１の内部に突き出る。送信／受信モジュール１５は、収容部１１内に挿入することができるように形成され、映像および音声信号を送信／受信するための送信／受信回路を含む。送信／受信モジュール１５は、その一端に形成された第二コネクタ１４を持つ。第二コネクタ１４は、送信／受信回路を携帯式カラオケシステムの制御回路に接続するために、第一コネクタ１３に連結される。蓋部１６はケース１の開口部１０を覆う。
【０００７】
送信／受信モジュール１５はさらに、ＦＭ送信回路（不図示）、受信アンテナ、および無線付属マイクロホン受信回路（不図示）を含む。ＦＭ送信回路は、携帯式カラオケシステムから出力された音声信号を所定のＦＭ周波数に変調し、変調された信号を外部のＦＭラジオに送信する送信アンテナを持つ。受信アンテナは、携帯式カラオケシステムからは独立した無線付属マイクロホンから送信された無線信号を受信する。無線付属マイクロホン受信回路は、受信アンテナにより受信した無線信号を復調し、復調された信号を音声信号と歌情報信号に分割する。
【０００８】
使用者はシステムを使用するために、送信／受信モジュール１５を携帯式カラオケシステムに容易に接続すること、あるいは携帯式カラオケシステムから容易に切断することができる。しかし、送信／受信モジュール１５がＦＭ送信回路と無線付属マイクロホン受信回路の両方を含むため、使用者はＦＭ送信と無線付属マイクロホン受信機能のうちの一つを選択して使用することができない。さらに、使用者は不必要な機能モジュールを購入しなければならない。その上、送信／受信モジュール１５の大きさは、送信アンテナと受信アンテナおも含んでいるため、大きくなる。したがって使用者は、送信／受信モジュール１５を含む携帯式カラオケシステムを持ち運ぶのが困難である。
【０００９】
図２は、バッテリー収納構造を持つ従来の携帯式カラオケシステムの斜視図である。図２に関して、携帯式カラオケシステムは、使用者が持ちやすいケース２０および、ケース２０を外部装置（例えばオーディオシステム、ＴＶセット等）に接続するための信号接続装置（不図示）を含む。
【００１０】
マイクロホンネット２１はケース２０の頂部に取り付けられ、携帯式カラオケシステムを作動させるための種々の電子部品を含むプリント（回路）基板２２がケース２０の内部に取り付けられる。プリント基板２２に電気的に接続された複数個のキーボタン（不図示）を持つキー入力ユニット２３が、ケース２０の一面に配設される。さらに、携帯式カラオケシステムに電力を供給するための最低一つのバッテリーを収納するためのバッテリーケース２４が、ケースの他面に配設される。バッテリーケース２４は、バッテリーがその長さ方向で直列に連結される矩形溝を持つ。接触端子２５および２５′が、プリント基板２２に電気的に接続されるように、それぞれバッテリーケースの両端に取り付けられる。接触端子２５および２５′は、それぞれ金属板およびバネである。
【００１１】
携帯式カラオケシステムはさらに、ケース２０を覆うための蓋部２６を含む。ケース２０と蓋部２６は、ケースの一部が蓋部２６に嵌め込まれることで、密接に組み合わせられる。信号接続装置のメインのジャックが接続される入力／出力端子２７が、ケース２０の底部に形成される。
【００１２】
携帯式カラオケシステムを使用するために、使用者は、所定のバッテリーをバッテリーケース２４中に挿入し、バッテリーの陽および陰の極性を整え、そしてケース２０一面に蓋部２６を取り付ける。ここで、バッテリーケース２４中のバッテリーと蓋部２６の間にスペースが存在し、そのためバッテリーは、ケースに外部からの衝撃が与えられた場合にバッテリーケースから簡単に外れてしまう。その結果、携帯式カラオケシステムは作動しないこととなる。
【００１３】
バッテリーを新しいものと交換するために、蓋部２６がケース２０から取り外され、バッテリーケース２４に嵌め込まれたバッテリーがバッテリーケースから取り除かれる。このときバッテリーは、バッテリーケースの末端とバッテリーの末端の間に、指のつめ等の薄くて長く硬い物質を置き、そしてバッテリーを移動することによって、バッテリーケースから取り外さなければならない。しかしながら使用者は、使用者の指のつめが短かった場合に、バッテリーケースからバッテリーを取り除くことが困難である。さらに、使用者が薄くて長く硬い物質をなかなか見つけられない場合には、バッテリーを迅速に新しいものに交換することができない。
【００１４】
その上、従来の携帯式カラオケシステムは、マイクロホンカートリッジに結合した、ケースの末端に形成された単一のネジを持ち、そのため、一般的なマイクロホンネットか、あるいはボール型マイクロホンネットのどちらかのみを、ネジを介してケースに取り付けることができる。したがって、使用者は一般的なマイクロホンネットとボール型マイクロホンネットを選択して使用することができない。
【発明の開示】
【００１５】
したがって、本発明の目的は、携帯式カラオケシステムに挿入することができるか、あるいは分離することができる、別個の無線付属マイクロホン受信モジュールおよび別個のＦＭ送信モジュールを持つ携帯式カラオケシステムを提供することであり、それにより使用者は必要な機能モジュールのみを選択して購入することができ、また携帯式カラオケシステムを簡単に持ち運び、保持することができる。
【００１６】
本発明の他の目的は、バッテリーがバッテリーケースから簡単に外れないようにするために、バッテリーケースの両側壁に備えられたフック部と、使用者がバッテリーをバッテリーケースから簡単に取り外すことができるように、バッテリーケースの両側壁の上端に形成された半円形の凹部を持つ携帯式カラオケシステムを提供することである。
【００１７】
本発明のまた別の目的は、マイクロホン本体の端部の階段状部に形成された第一ネジおよび第二ネジを持つ携帯式カラオケシステムを提供することであり、それにより第一ギアが一般的なマイクロホンネットと結合し、第二ギアがボール型マイクロホンネットと結合する。
【００１８】
本目的を達成するために、本発明にしたがって、携帯式カラオケシステムの外形を形成するケース、ケース内に取り付けられ、カラオケシステムを作動させるための制御回路を含むプリント基板、携帯式カラオケシステムから出力された音声信号を所定のＦＭ周波数に変調し、変調された信号を外部のラジオに無線送信するための送信回路を含むＦＭ送信基板、ＦＭ送信基板の出力信号線に電気的に接続された第一コネクタを持ち、別個の単一パックに構築されるＦＭ送信モジュール、ケースの所定位置に配設され、ＦＭ送信モジュールの出力信号をプリント基板の制御回路に送信するためにＦＭ送信モジュールの第一コネクタに接続される第二コネクタ、所定の長さを持ち、ケースの所定の位置に配置され、第二コネクタの送信アンテナ末端に電気的に接続されるアンテナ線を含む携帯式カラオケシステムが提供される。
【００１９】
好ましくは、ケースは、無線付属マイクロホン受信モジュールとＦＭ送信モジュールを収容するための収容部を含む。
【００２０】
収容部は、それぞれ収容部の両側壁に形成され、無線付属マイクロホン受信モジュールをその適切な位置に誘導する一組の第一誘導溝および、それぞれ収容部の両側壁に形成され、ＦＭ送信モジュールをその適切な位置に誘導する一組の第二誘導溝を含む。
【００２１】
無線付属マイクロホン受信モジュールの本体を形成する第一筐体は、第一筐体の両側面に形成され、第一誘導溝に、垂直方向にスライド可能に挿入される一組の第一誘導突起を持ち、ＦＭ送信モジュールの本体を形成する第二筐体は、第二筐体の両側面に形成され、第二誘導溝に、垂直方向にスライド可能に挿入される一組の第二誘導突起を持つ。
【００２２】
ケースは、最低一つのバッテリーが挿入されるバッテリーケースを含む。
【００２３】
バッテリーケースは、バッテリーがバッテリーケースから簡単に外れてしまわないように、それぞれバッテリーケースの両側壁に固定された、弾性のある一組のフック部を持つ。
【００２４】
バッテリーケースはさらに、使用者が指で簡単にバッテリーをバッテリーケースから取り外すことができるように、バッテリーケースの両側壁の上端に形成された凹部を含む。
【００２５】
マイクロホンカートリッジに結合した、本発明の携帯式カラオケシステムのマイクロホン本体の端部は、階段状構造をとる。第一ネジは太い段部に形成され、第二ネジは細い段部に形成される。
【００２６】
第一ネジは結合リングおよびマイクロホンネットと結合し、第二ネジは固定リングおよびボール型マイクロホンネットと結合する。
【００２７】
（図面の簡単な説明）
本発明のさらなる目的および利点は、添付の図面と併せた以下の詳細な説明からより十分に理解することができる。
【００２８】
図１は、モジュール方式の送信／受信装置を含む従来の携帯式カラオケシステムの断面図である。
【００２９】
図２は、バッテリー収納構造を持つ従来の携帯式カラオケシステムの斜視図である。
【００３０】
図３は、本発明の実施例にしたがった別個の通信モジュールを持つ携帯式カラオケシステムの斜視図である。
【００３１】
図４は、本発明の携帯式カラオケシステムに用いられる無線付属マイクロホン受信モジュールの斜視図である。
【００３２】
図５は、本発明の携帯式カラオケシステムに用いられるＦＭ送信モジュールの斜視図である。
【００３３】
図６は、本発明の他の実施例にしたがったバッテリー収納構造を持つ携帯式カラオケシステムの斜視図である。
【００３４】
図７ａは、本発明の実施例にしたがった携帯式カラオケシステムに含まれる、フック部を持つバッテリーケースにバッテリーを挿入する動作を説明する。
【００３５】
図７ｂは、バッテリーケースからバッテリーを取り外す動作を説明する。
【００３６】
図８は、本発明の実施例にしたがった携帯式カラオケシステムとマイクロホンネットの結合を説明する。
【００３７】
図９は、本発明の他の実施例にしたがった携帯式カラオケシステムとボール型マイクロホンネットの結合を説明する。
【発明を実施するための最良の形態】
【００３８】
本発明は、添付の図面を参照して、好ましい実施例に関連して詳細に開示されるである。ちなみに、同種の参照文字は、複数の図面に亘って一致する部分を示す。
【００３９】
図３は、本発明の実施例にしたがった別個の通信モジュールを持つ携帯式カラオケシステムの斜視図であり、図４は、本発明の携帯式カラオケシステムに用いられる無線付属マイクロホン受信モジュールの斜視図である。図５は、本発明の携帯式カラオケシステムに用いられるＦＭ送信モジュールの斜視図である。
【００４０】
図３に関して、本発明の実施例にしたがった携帯式カラオケシステムは、携帯式カラオケシステムの外形を形成するケース１００、ケース１００に分離可能に嵌め込まれ、別個の無線付属マイクロホン（不図示）から送信された無線信号を受信する無線付属マイクロホン受信モジュール２００、ケース１００に分離可能に嵌め込まれ、所定のＦＭ周波数で携帯式カラオケシステムから出力された音声信号を無線送信するＦＭ送信モジュール３００、およびケース１００の一部を覆うためにケースと密接に組み合わせられる蓋部１０１を含む。
【００４１】
ケース１００は長形形状を持ち、そのため使用者は歌を歌うために簡単に握ることができる。マイクロホンネット１１０は、ケース１００の頂部に取り付けられ、携帯式カラオケシステムを作動させるための制御回路を含むプリント基板１２０がケース１００に嵌め込まれる。
【００４２】
さらに、プリント基板１２０に電気的に接続された多数のキーボタンを持つキー入力ユニット１３０が、ケース１００の中央部の一面に配設され、携帯式カラオケシステムに電力を供給するバッテリーを収納するためのバッテリーケース１４０がケース１００の他面に配設される。
【００４３】
多数のメモリパック（不図示）、無線付属マイクロホン受信モジュール２００およびＦＭ送信モジュール３００を収容するための収容部１５０が、バッテリーケース１４０の下部に形成される。収容部１５０は、収容部１５０の底部に固定された、多数のメモリコネクタ、無線付属マイクロホン受信モジュール２００のためのオスコネクタ１７０、およびＦＭ送信モジュール３００のためのオスコネクタ１８０を含む。メモリコネクタ、オスコネクタ１７０および１８０は、収容部１５０の底部から突き出ており、メモリパック、受信モジュール２００および送信モジュール３００は簡単にメモリコネクタ、オスコネクタ（１７０、１８０）に接続され、プリント基板１２０に電気的に接続することができる。収容部１５０は、それぞれ収容部１５０の両側壁に形成された一組の第一誘導溝１５１および１５１′、およびそれぞれ収容部１５０の両側壁に形成された一組の第二誘導溝１５３および１５３′を持つ。第一誘導溝１５１および１５１′は無線付属マイクロホン受信モジュール２００をその適切な位置に誘導し、第二誘導溝１５３および１５３′はＦＭ送信モジュール３００をその適切な位置に誘導する。
【００４４】
別個の信号接続装置のメインジャックが接続される入力／出力端子（不図示）が、ケース１００の底部に備えられる。加えて、溝１９５を持つ突出支持部１９０がケース１００の底部末端から伸び、突出支持部１９０は信号接続装置のメインジャックを安定的に支持する。ここで信号接続装置は、携帯式カラオケシステムから出力された映像および音声信号を外部のオーディオシステムあるいは表示装置（例えばＴＶセットあるいはＣＲＴ）に供給するために、入力／出力端子に接続される。
【００４５】
図４に関して、無線付属マイクロホン受信モジュール２００は、受信モジュール２００の本体を構成する第一筐体２１０、第一筐体２１０に嵌め込まれる無線受信基板２２０、および無線受信基板２２０の出力信号線に接続されたメスコネクタ２３０を含む。無線受信基板２２０は、後述するように、無線付属マイクロホンから送信され、アンテナ線で捕捉された無線信号を復調し、復調された信号を音声信号と歌情報信号に分割する無線付属マイクロホン受信回路を持つ。メスコネクタ２３０は第一筐体２１０の一面に取り付けられ、ケース１００の収容部１５０に位置する、無線付属マイクロホン受信モジュール２００のためのオスコネクタ１７０に接続することができる。メスコネクタ２３０は、無線付属マイクロホン受信回路を携帯式カラオケシステムの本体の制御回路に電気的に接続する。無線付属マイクロホン受信モジュール２００はさらに、それぞれ第一筐体２１０の両側面に形成された一組の誘導突起２１５および２１５′を含む。誘導突起２１５および２１５′は、ケース１００の第一誘導溝１５１および１５１′（図３参照）にスライド可能に挿入される。
【００４６】
図５に関して、ＦＭ送信モジュール３００は、ＦＭ送信モジュールの本体を構成する第二筐体３１０、第二筐体３１０に嵌め込まれるＦＭ送信基板３２０、およびＦＭ送信基板３２０の出力信号線に電気的に接続されたメスコネクタ３３０含む。ＦＭ送信基板３２０は、携帯式カラオケシステムから出力された音声信号を所定のＦＭ周波数に変調し、変調された信号を、アンテナ線１０２を介して外部のラジオに送信する送信回路を持つ。
【００４７】
メスコネクタ３３０は第二筐体３１０の一面に取り付けられ、ケース１００に位置する、ＦＭ送信モジュールのためのオスコネクタ１８０に接続することができる。メスコネクタ３３０は、ＦＭ送信回路を携帯式カラオケシステムの本体の制御回路に電気的に接続する。ＦＭ送信モジュール３００はさらに、それぞれ第二筐体３１０の両側面に形成され、図３に示される、携帯式カラオケシステムの本体の第二誘導溝１５３および１５３′にスライド可能に挿入される一組の第二誘導突起３１５および３１５′を含む。
【００４８】
好ましくは、ＦＭ送信モジュール３００は、無線付属マイクロホン受信モジュール２００よりも小さい。
【００４９】
図３に関して、蓋部１０１はケース１００と密接に組み合わせられ、蓋部１０１はケース１００の一部、すなわちバッテリーケース１４０および収容部１５０を覆う。
【００５０】
アンテナ線１０２は、無線付属マイクロホン受信モジュールのためのオスコネクタ１７０、およびＦＭ送信モジュールのためのオスコネクタ１８０の送信／受信アンテナ端子（不図示）に電気的に接続される。アンテナ線１０２は、送信／受信電波を送信、捕捉しやすいように、突出支持部１９０中でＵ字形状に形成されることが好ましいが、アンテナ線１０２は、ケース１００内の所定の位置で所定の長さに形成することができる。
【００５１】
本発明にしたがった携帯式カラオケシステムの別個の通信モジュールの動作は、ここで説明される。
【００５２】
多数の使用者が、本発明の携帯式カラオケシステムを用いて一緒に歌を歌いたい場合には、無線付属マイクロホンが用いられる。携帯式カラオケシステムは、無線付属マイクロホンから、内蔵された無線付属マイクロホン受信モジュール２００を介して送信された無線信号を受信する。
【００５３】
特には、蓋部１０１はケース１００から取り外され、続いて無線付属マイクロホン受信モジュール２００が収容部１５０に垂直に挿入され、無線付属マイクロホン受信モジュール２００のメスコネクタ２３０が収容部１５０の底部から突出したオスコネクタ１７０と接続される。
【００５４】
より特には、無線付属マイクロホン受信モジュール２００の第一筐体２１０の両側面に形成された一組の誘導突起２１５および２１５′が、収容部１５０の第一誘導溝１５１および１５１′にスライド可能に挿入される。無線付属マイクロホン受信モジュール２００のメスコネクタ２３０が収容部１５０のオスコネクタ１７０と合わせられると、使用者は、メスコネクタ２３０がオスコネクタ１７０と接続される所定の圧力で、無線付属マイクロホン受信モジュール２００の第一筐体２１０を押し込む。
【００５５】
無線付属マイクロホンが使用されない場合には、使用者はケース１００から蓋部１０１を取り外し、収容部１５０のオスコネクタ１７０と接続された無線付属マイクロホン受信モジュール２００の筐体２１０を指で摘み、筐体２１０を持ち上げる。そしてオスコネクタ１７０と接続されたメスコネクタ２３０がオスコネクタ１７０から切り離され、無線付属マイクロホン受信モジュール２００が収容部１５０から完全に取り除かれる。無線付属マイクロホン受信モジュール２００は小さいため、使用者は、無線付属マイクロホン受信モジュール２００を簡単に持ち運び、あるいは保持することができる。
【００５６】
使用者が、本発明にしたがった携帯式カラオケシステムから所定のＦＭ周波数で出力された音声信号を無線送信したい場合には、使用者は携帯式カラオケシステムにＦＭ送信モジュール３００を取り付ける。ＦＭ送信モジュール３００をケース１００の収容部１５０に挿入する操作および取り外す操作は、無線付属マイクロホン受信モジュール２００を収容部１５０に挿入する操作および取り外す操作と同一であるため、説明は省略する。
【００５７】
図６は、本発明の他の実施例にしたがったバッテリー収納構造を持つ携帯式カラオケシステムの斜視図である。
【００５８】
図６に関して、携帯式カラオケシステムは、使用者が簡単に握ることができるケース４００と、ケース４００を外部装置（不図示）に電気的に接続するための信号接続装置（不図示）を含む。
【００５９】
マイクロホンネット４１０はケース４００の頂部に配設され、携帯式カラオケシステムを作動させるための種々の電子部品を含むプリント基板４２０が、ケース４００に嵌め込まれる。多数のキーボタン（不図示）を持ち、プリント基板４２０に電気的に接続されるキー入力ユニット４３０は、ケース４００の中央部の一面に備えられる。携帯式カラオケシステムに作動電力を供給するための最低一つのバッテリーを収納するためのバッテリーケース４４０が、ケース４００の中央部の他面に配置される。
【００６０】
バッテリーケース４４０は、バッテリーがその長さ方向で直列に連結される矩形溝に形成される。接触端子４５０および４５０′が、それぞれバッテリーケース４４０の両端に備えられ、プリント基板４２０に電気的に接続される。接触端子４５０および４５０′は、それぞれ金属板およびバネである。好ましくは、バッテリーケース４４０の底面は、バッテリー５００の外面を取り囲むために半円形状を持つ。
【００６１】
さらに、バッテリーケース４４０は、互いに向かい合うようにそれぞれバッテリーケース４４０の両側壁４４０ａおよび４４０ａ′に固定された一組のフック部４６０および４６０′を持つ。フック部４６０および４６０′はそれぞれ、外部からの衝撃によってバッテリーケース４００からバッテリー５００が簡単に外れないように、弾性を持つ。さらに、半円形凹部４７０および４７０′が、使用者が指で簡単にバッテリー５００をバッテリーケース４４０から取り外すことができるように、バッテリーケース４４０の両側壁４４０ａおよび４４０ａ′の上端にそれぞれ形成される。
【００６２】
参照番号４８０および４９０は、それぞれ蓋部および入力／出力端子を示す。蓋部４８０は、蓋部がケースを保護するためにケースの一部を覆うように、ケース４００と密接に組み合わせられる。入力／出力端子４９０は、ケース４００の底部に備えられ、信号接続装置のメインジャックと電気的に接続される。
【００６３】
本発明にしたがった携帯式カラオケシステムのバッテリー収納構造の作動は、ここで図７ａおよび７ｂを参照して説明される。図７ａは、本発明の実施例にしたがった携帯式カラオケシステムに含まれる、フック部を持つバッテリーケースにバッテリーを挿入する動作を示し、図７ｂは、バッテリーケースからバッテリーを取り除く動作を示す。
【００６４】
バッテリー５００を、本発明にしたがった携帯式カラオケシステムのバッテリーケースに嵌め込むために、蓋部４８０がケース４００から取り外され、その後バッテリー５００がバッテリーケース４４０に嵌め込まれる。バッテリー５００の外面がバッテリーケース４４０のフック部４６０および４６０′に達すると、バッテリー５００の外面が、所定の角度でバッテリーケースの内側に湾曲したフック部４６０および４６０′の上部にのしかかる。この状態で、使用者がバッテリー５００を押し込むと、フック部４６０および４６０′が所定の角度の範囲内で弾力的にいっぱいに開き、そのためバッテリー５００の外面が、バッテリーケース４４０に嵌め込まれるようにバッテリーケース４４０の両側壁４４０ａおよび４４０ａ′上をスライドする。同時に、フック部４６０および４６０′が、バッテリー５００の外面に所定の圧力を加えるように、弾性にしたがって元の位置に戻る。したがって、バッテリー５００は、外部からの衝撃が加えられた場合でも、バッテリーケースから簡単に外れない。
【００６５】
バッテリー５００が新しいものと取り替えられる場合は、図７ｂに示されるように、使用者はケース４００から蓋部４８０を取り外し、続いてバッテリーケース４４０の両側壁４４０ａおよび４４０ａ′の上端に形成された凹部４７０ａおよび４７０ａ′を抑える。この状態で、使用者がバッテリー５００の端部を持ち上げると、バッテリー５００の外面が上方に持ち上がるように両側壁４４０ａおよび４４０ａ′上をスライドする。ここで、フック部４６０および４６０′は、所定の角度の範囲内で弾力的にいっぱいに開き、そのためバッテリー５００はバッテリーケース４４０から完全に取り外される。同時に、フック部４６０および４６０′は弾性にしたがって元の位置に戻る。
【００６６】
図８は、一般的なマイクロホンネットと本発明にしたがった携帯式カラオケシステムの組み合わせを示し、図９は、ボール型マイクロホンネットと本発明の他の実施例にしたがった携帯式カラオケシステムの組み合わせを示す。
【００６７】
本発明にしたがったマイクロホンは、マイクロホン本体６０１を持つ。マイクロホンカートリッジと結合する、マイクロホン本体６０１の端部６０２は、階段状形状を持つ。第一ネジ６０４は太い段部６０３に形成され、第二ネジ６０６は細い段部６０５に形成される。
【００６８】
使用者が図８に示される一般的なマイクロホンネット６１０を使用したい場合には、使用者は結合リング６１１を第一ネジ６０４に結合させ、続いてマイクロホンネット６１０を、螺溝を用いて第一ネジ６０４と結合させる。使用者が図９に示されるボール型マイクロホンネット６２０を使用したい場合には、使用者は第一ネジ６０４の外側を含めて第二ネジ６０６に固定リング６２１を結合させ、ボール型マイクロホンネット６２０を、羅溝を用いて第二ネジ６０６と結合させる。
【産業上の利用可能性】
【００６９】
本発明にしたがって、使用者は、無線付属マイクロホン受信モジュールおよびＦＭ送信モジュールを携帯式カラオケシステムに、別個に挿入すること、あるいは取り外すことができる。したがって、使用者は必要な機能モジュールのみを選択し、購入することができる。さらに、機能モジュールは小型であるため、使用者はそれらを簡単に持ち運び、保持することができる。
【００７０】
さらに、携帯式カラオケシステムが使用される場合に、バッテリーが、バッテリーケースの両側壁に備えられた一組のフック部を用いてバッテリーケースから簡単に外れないようにすることができる。加えて、使用者は、バッテリーを新しいものに交換したい場合に、バッテリーケースの両側壁の上端に形成された凹部を利用して、指で簡単にバッテリーをバッテリーケースから取り外すことができる。
【００７１】
その上、マイクロホン本体の端部が階段状形状を持ち、異なる直径の第一および第二ネジが段部に形成されるため、一般的なマイクロホンネットおよびボール型マイクロホンネットの両方を携帯式カラオケシステムに取り付けることができる。
【００７２】
本発明は特定の実施形態を参照して開示されるが、本発明は実施形態により限定されるべきではなく、添付の請求項によってのみ限定される。この分野における通常の知識を有する者が、本発明の範囲および精神を離れることなく実施形態を変更あるいは修正できることは、認識されるべきである。
【図面の簡単な説明】
【００７３】
【図１】従来の携帯式カラオケシステムの断面図
【図２】従来の携帯式カラオケシステムの斜視図
【図３】本発明の実施例に係る携帯式カラオケシステムの斜視図
【図４】無線付属マイクロホン受信モジュールの斜視図
【図５】ＦＭ送信モジュールの斜視図
【図６】バッテリー収納構造を持つ携帯式カラオケシステムの斜視図
【図７ａ】フック部を持つバッテリーケースにバッテリーを挿入する動作を説明する図
【図７ｂ】バッテリーケースからバッテリーを取り外す動作を説明する図
【図８】携帯式カラオケシステムとマイクロホンネットの結合を説明する図
【図９】携帯式カラオケシステムとボール型マイクロホンネットの結合を説明する図
【図１】
2007502452.tif 000003
【図２】
2007502452.tif 000004
【図３】
2007502452.tif 000005
【図４】
2007502452.tif 000006
【図５】
2007502452.tif 000007
【図６】
2007502452.tif 000008
【図７ａ】
2007502452.tif 000009
【図７ｂ】
2007502452.tif 000010
【図８】
2007502452.tif 000011
【図９】
2007502452.tif 000012
【国際調査報告】
2007502452.tif 000013
2007502452.tif 000014